(57)【要約】【課題】ユーザーの要望に応じた画像を効率的に得ることができる画像形成装置を提供する。【解決手段】画像形成装置１１は、画像データ抽出部４２と、選択受け付け部４３と、レイアウト編集部４４と、表示制御部４５とを備える。画像データ抽出部４２は、画像読み取り部１４により読み取られた原稿の画像のうち、画像データの領域を抽出する。選択受け付け部４３は、画像データ抽出部４２により抽出された画像のうち、印刷する画像データの選択を受け付ける。レイアウト編集部４４は、選択受け付け部４３により受け付けられた選択された画像データを基に、設定要求受け付け部４１により受け付けられた設定の要求に沿ってレイアウトを編集する。表示制御部４５は、レイアウト編集部４４により編集されたレイアウト画像を表示部２１に表示するよう制御する。【選択図】図４
2018107669.tif 000002
【特許請求の範囲】
【請求項１】
情報を表示する表示部と、
用紙に画像を形成して印刷する印刷部と、
原稿の画像を読み取る画像読み取り部と、
画像形成の設定の要求を受け付ける設定要求受け付け部と、
前記画像読み取り部により読み取られた前記原稿の画像のうち、画像データの領域を抽出する画像データ抽出部と、
前記画像データ抽出部により抽出された画像のうち、印刷する前記画像データの選択を受け付ける選択受け付け部と、
前記選択受け付け部により受け付けられた選択された前記画像データを基に、前記設定要求受け付け部により受け付けられた前記設定の要求に沿ってレイアウトを編集するレイアウト編集部と、
前記レイアウト編集部により編集されたレイアウト画像を前記表示部に表示するよう制御する表示制御部と、
前記表示制御部によって前記表示部に表示された前記レイアウト画像の出力の要求を受け付けたか否かを判断する判断部と、
前記判断部により前記レイアウト画像の出力の要求を受け付けたと判断されれば、前記レイアウト画像を基に前記印刷部により印刷するよう制御する印刷制御部とを備える、画像形成装置。
【請求項２】
前記画像読み取り部は、前記原稿の両面の画像を読み取り、
前記レイアウト編集部は、前記原稿の両面の画像を並べて前記用紙の一方の面にレイアウトする、請求項１に記載の画像形成装置。
【請求項３】
前記印刷部は、用紙の両面に印刷可能であり、
前記画像読み取り部は、前記原稿の両面の画像を読み取り、
前記レイアウト編集部は、前記原稿の表面の画像データは、前記用紙の一方の面にレイアウトし、前記原稿の裏面の画像データは、前記用紙の他方の面であって前記用紙の一方の面にレイアウトされた前記原稿の表面の画像に対応させた位置でレイアウトする、請求項１に記載の画像形成装置。
【請求項４】
前記レイアウト編集部は、編集された前記レイアウトのうち、隣接する画像の間に境界を示す線図を追加して編集する、請求項１〜請求項３のいずれか１項に記載の画像形成装置。
【請求項５】
前記レイアウト編集部により編集された前記レイアウトのうち、画像の境界に前記用紙を切り取りやすくなるようミシン目を形成するミシン目形成部をさらに備える、請求項１〜請求項４のいずれか１項に記載の画像形成装置。
【請求項６】
前記レイアウト編集部は、読み取られた前記原稿の画像毎に前記レイアウトを編集可能である、請求項１〜請求項５のいずれか１項に記載の画像形成装置。
【請求項７】
前記レイアウト編集部は、設定された前記レイアウト以外でレイアウトすれば、印刷する用紙の枚数が少なくなると判断すれば、その旨を報知する、請求項１〜請求項６のいずれか１項に記載の画像形成装置。
【請求項８】
予め画像が形成された前記用紙をセット可能であり、
前記レイアウト編集部は、前記予めセットされた前記用紙の指定された領域に、前記選択受け付け部により選択を受け付けた前記画像データをレイアウトするよう編集する、請求項１〜請求項７のいずれか１項に記載の画像形成装置。
【請求項９】
前記原稿は、運転免許証または保険証を含む、請求項１〜請求項８のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
ここで、画像形成に際し、１枚の原稿を使用して記録紙上に複数の複写画像を得ることができる複写機に関する技術が、特開昭６０−５４５６３号公報（特許文献１）に開示されている。
【先行技術文献】
【特許文献】
【０００４】
【特許文献１】特開昭６０−５４５６３号公報
【発明の概要】
【発明が解決しようとする課題】
【０００５】
特許文献１に開示の技術では、１枚の読み取られた原稿の画像のうち、複数の複写画像を１枚の複写物に複写するだけのものである。このような技術では、ユーザーの要望に応じた画像を得ることができない場合がある。
【０００６】
この発明の目的は、ユーザーの要望に応じた画像を効率的に得ることができる画像形成装置を提供することである。
【課題を解決するための手段】
【０００７】
この発明に係る画像形成装置は、表示部と、印刷部と、画像読み取り部と、設定要求受け付け部と、画像データ抽出部と、選択受け付け部と、レイアウト編集部と、表示制御部と、判断部と、印刷制御部とを備える。表示部は、情報を表示する。印刷部は、用紙に画像を形成して印刷する。画像読み取り部は、原稿の画像を読み取る。設定要求受け付け部は、画像形成の設定の要求を受け付ける。画像データ抽出部は、画像読み取り部により読み取られた原稿の画像のうち、画像データの領域を抽出する。選択受け付け部は、画像データ抽出部により抽出された画像のうち、印刷する画像データの選択を受け付ける。レイアウト編集部は、選択受け付け部により受け付けられた選択された画像データを基に、設定要求受け付け部により受け付けられた設定の要求に沿ってレイアウトを編集する。表示制御部は、レイアウト編集部により編集されたレイアウト画像を表示部に表示するよう制御する。判断部は、表示制御部によって表示部に表示されたレイアウト画像の出力の要求を受け付けたか否かを判断する。印刷制御部は、判断部によりレイアウト画像の出力の要求を受け付けたと判断されれば、レイアウト画像を基に印刷部により印刷するよう制御する。
【発明の効果】
【０００８】
このような画像形成装置によれば、ユーザーの要望した画像を効率的に得ることができる。
【図面の簡単な説明】
【０００９】
【図１】この発明の一実施形態に係る画像形成装置を複合機に適用した場合の複合機の外観を示す概略図である。
【図２】図１に示す複合機の構成を示すブロック図である。
【図３】操作部の概略的な構成を示す外観図である。
【図４】制御部の構成を示すブロック図である。
【図５】原稿となる運転免許証の表面の画像および裏面の画像の概略を示す図である。
【図６】原稿の両面の画像を読み取った印刷する場合の処理の流れを示すフローチャートである。
【図７】画像形成の設定の要求を受け付ける際の表示画面の一例を示す図である。
【図８】抽出された画像データが表示された表示画面の一例を示す図である。
【図９】表示画面に表示された確認画面の一例を示す図である。
【図１０】出力される用紙の一例を示す図である。
【図１１】出力される用紙の一例を示す図である。
【図１２】予め画像が形成された用紙の一例を示す図である。
【図１３】余白の領域に両面の画像が印刷された用紙の一例を示す図である。
【発明を実施するための形態】
【００１０】
以下、この発明の実施の形態を説明する。図１は、この発明の一実施形態に係る画像形成装置を複合機に適用した場合の複合機１１の外観を示す概略図である。図２は、図１に示す複合機１１の構成を示すブロック図である。
【００１１】
図１および図２を参照して、複合機１１は、画像処理に関し、複写機能、プリンター機能、ファクシミリ機能等、複数の機能を有する。複合機１１は、制御部１２と、操作部１３と、画像読み取り部１４と、印刷部１５と、給紙カセット１６と、ハードディスク１７と、ネットワーク（図示せず）と接続するためのネットワークインターフェース部１８と、手差しトレイ２４と、ミシン目形成部２５とを備える。
【００１２】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、複合機１１側から発信される情報やユーザーの入力内容を表示する表示部としての表示画面２１を含む。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿を載置する載置台２３上にセットされた原稿の画像を読み取る。画像読み取り部１４は、原稿の両面の画像を読み取ることもできる。給紙カセット１６は、複数枚の用紙をその内部に収納することができる。手差しトレイ２４は、その上に複数枚の用紙をセットすることが可能であり、手差しトレイ２４を用いて印刷する用紙を手差しでセットすることができる。印刷部１５は、画像読み取り部１４により読み取られた原稿の画像データやネットワークを介して送信された画像データを基に、給紙カセット１６または手差しトレイ２４から搬送されてきた用紙に画像を形成して印刷する。なお、印刷部１５は、両面印刷、すなわち、用紙の表面と裏面の双方に印刷が可能な構成である。すなわち、複合機１１においては、画像読み取り部１４で原稿の両面の画像の読み取りが可能であり、印刷部１５で両面印刷が可能な構成である。ハードディスク１７は、送信された画像データや入力された画像形成条件等、画像形成に関するデータを記憶する。
【００１３】
ミシン目形成部２５は、いわゆる印刷部１５による印刷を行った後の後処理の一環であり、用紙の一部を破断してミシン目を形成するカッター部（図示せず）を備える。ミシン目形成部２５は、複合機１１の内方側に設けられている。カッター部を利用して、出力する用紙の所定の箇所にミシン目を形成する。このミシン目が形成された部分については、ミシン目に沿って用紙を切断することが容易となる。すなわち、ユーザーの要望に応じて、ミシン目が形成された箇所に沿って用紙を切断しやすくするためにミシン目が形成される。
【００１４】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００１５】
次に、複合機１１に備えられる制御部１２の構成について説明する。図４は、制御部１２の構成を示すブロック図である。図４を参照して、制御部１２は、設定要求受け付け部４１と、画像データ抽出部４２と、選択受け付け部４３と、レイアウト編集部４４と、表示制御部４５と、判断部４６と、印刷制御部４７とを備える。設定要求受け付け部４１は、画像形成の設定の要求を受け付ける。画像データ抽出部４２は、画像読み取り部１４により読み取られた原稿の画像のうち、画像データの領域を抽出する。選択受け付け部４３は、画像データ抽出部４２により抽出された画像のうち、印刷する画像データの選択を受け付ける。レイアウト編集部４４は、選択受け付け部４３により受け付けられた選択された画像データを基に、設定要求受け付け部４１により受け付けられた設定の要求に沿ってレイアウトを編集する。表示制御部４５は、レイアウト編集部４４により編集されたレイアウト画像を表示画面２１に表示するよう制御する。判断部４６は、表示制御部４５によって表示画面２１に表示されたレイアウト画像の出力の要求を受け付けたか否かを判断する。印刷制御部４７は、判断部４６によりレイアウト画像の出力の要求を受け付けたと判断されれば、レイアウト画像を基に印刷部１５により印刷するよう制御する。これらの構成については、後に詳述する。
【００１６】
次に、複合機１１を用いて、原稿の両面の画像を読み取った印刷する場合について説明する。ここでは、自動車の運転免許証を原稿とした場合の両面、すなわち、自動車の運転免許証の表面と裏面のコピーを取る場合について説明する。
【００１７】
ここでまず、原稿となる運転免許証の表面の画像および裏面の画像について説明する。図５は、原稿となる運転免許証の表面の画像および裏面の画像の概略を示す図である。図５を参照して、原稿５１の表面５２ａは、文字画像５３ａと、写真画像５４ａとから構成されている。写真画像５４ａは、横長の矩形状の原稿５１のうち、右下側の領域に設けられている。その他の領域に文字画像５３ａが配置されている。なお、写真画像５４ａについては、たとえばユーザー本人の顔写真である。原稿５１の裏面５２ｂは、文字画像５３ｂと、表画像５４ｂとから構成されている。表画像５４ｂは、横長の矩形状の原稿５１のうち、半分から上側の領域に設けられている。その他の領域には、文字画像５３ｂが配置されている。表画像５４ｂには、免許証に関する書誌的事項が記載される欄である。なお、原稿５１の大きさについては、Ａ７サイズよりもやや小さいサイズである。
【００１８】
図６は、原稿５１の両面の画像を読み取った印刷する場合の処理の流れを示すフローチャートである。図６を参照して、まず、ユーザーは、操作部１３の表示画面２１等から画像形成の設定の要求を入力する。そうすると、設定要求受け付け部４１は、画像形成に関する設定の要求を受け付ける（図６において、ステップＳ１１、以下、「ステップ」を省略する）。
【００１９】
図７は、画像形成の設定の要求を受け付ける際の表示画面２１の一例を示す図である。図７を参照して、表示画面２１には、「両面印刷ですか」との問い合わせ６１ａと、「はい」と示されており、押下の検知により両面印刷が要求されたことを検知する選択キー６２ａと、「いいえ」と示されており、押下の検知により両面印刷が要求されなかったことを検知する選択キー６２ｂと、「表示形態」との文字６１ｂと、「横並び」と示されており、押下の検知により読み取られた両面の画像を横並びで表示する設定を受け付ける選択キー６３ａと、「縦並び」と示されており、押下の検知により読み取られた両面の画像を縦並びで表示する設定を受け付ける選択キー６３ｂと、「表裏」と示されており、押下の検知により読み取られた両面の画像を用紙の表裏で表示する設定を受け付ける選択キー６３ｃと、「その他」と示されており、押下の検知により読み取られた両面の画像の表示方法のさらに詳細な設定を受け付ける選択キー６３ｄと、「複写個数」の文字６１ｃと、複写個数を入力させる入力領域６４と、「画像の区切りを示しますか」との問い合わせ６１ｄと、「はい」と示されており、押下の検知により画像の区切りを示すことが要求されたことを検知する選択キー６５ａと、「いいえ」と示されており、押下の検知により画像の区切りを示すことが要求されなかったことを検知する選択キー６５ｂと、「ミシン目を挿入しますか」との問い合わせ６１ｅと、「はい」と示されており、押下の検知により画像と画像の境界にミシン目を挿入することが要求されたことを検知する選択キー６６ａと、「いいえ」と示されており、押下の検知により画像と画像との境界にミシン目を挿入することが要求されなかったことを検知する選択キー６６ｂと、「出力用紙を指定しますか」との問い合わせ６１ｆと、「はい」と示されており、押下の検知により出力用紙を指定することが要求されたことを検知する選択キー６７ａと、「いいえ」と示されており、押下の検知により出力用紙を指定することが要求されなかったことを検知する選択キー６７ｂとが表示されている。問い合わせ６１ａ、文字６１ｂ、文字６１ｃ、問い合わせ６１ｄ、問い合わせ６１ｅ、問い合わせ６１ｆはそれぞれ表示画面２１の上側から順に表示されている。各問い合わせ６１ａ等に対応する選択キー６２ａ等は、それらの横の領域に表示されている。
【００２０】
ここで、ユーザーは、図７に示すハッチングで示された選択キー６２ａ、６３ａ、６５ａ、６６ａ、６７ｂを押下する。また、入力領域６４にテンキー３１等を利用して数値を入力する。そうすると、設定要求受け付け部４１は、選択キー６２ａ、６３ａ、６５ａ、６６ａ、６７ｂの押下を検知し、対応する選択キー６２ａ、６３ａ、６５ａ、６６ａ、６７ｂに示される内容の設定の要求を受け付ける。具体的には、両面印刷であるか、また、読み取られた画像を横並びで印刷するか等といった要求を受け付ける。また、入力領域６４へ入力された数値「５」を検知し、複写個数に関する設定の要求を受け付ける。
【００２１】
その後、原稿５１の画像を読み取る（Ｓ１２）。この場合、ユーザーは、まず載置台２３に原稿５１の表面５２ａ側を下にして載置し、原稿押さえ２６を閉じる。そうすると、制御部１２は、原稿押さえ２６が閉じられたことを認識する。スタートキー３２の押下を検知すると、画像読み取り部１４は、載置台２３のスキャンにより原稿５１の表面５２ａ側の画像を読み取る。読み取られた原稿５１の表面５２ａの画像データについては、主記憶メモリ１９に一時的に記憶される。読み取り後、ユーザーによって原稿５１が裏返される。そして、画像読み取り部１４は、原稿５１の裏面５２ｂの画像も読み取る。原稿５１の裏面５２ｂの画像についても、主記憶メモリ１９に一時的に記憶される。
【００２２】
次に、画像データ抽出部４２は、画像データの領域を抽出する（Ｓ１３）。この場合、原稿５１の表面５２ａ側および裏面５２ｂ側の画像をスキャンで読み取り、原稿５１の表面５２ａ側および裏面５２ｂ側の画像を読み取った際の主走査方向に位置する余白部分、その他の余白部分を取り除いて画像データの領域を抽出する。
【００２３】
次に、選択受け付け部４３は、抽出された画像データの選択を受け付ける（Ｓ１４）。この場合、抽出された画像データについて、図８に示すように、タッチパネル型式の表示画面２１に表示される。図８は、抽出された画像データが表示された表示画面２１の一例を示す図である。図８を参照して、表面の画像として、原稿５１の表面５２ａの画像５５ａに対応する画像データ、および裏面の画像として原稿５１の裏面５２ｂの画像５５ｂに対応する画像データが表示されている。選択受け付け部４３は、各画像データの位置に対応する領域の押下を検知することにより、画像データの選択を受け付ける。
【００２４】
そして、レイアウト編集部４４は、選択を受け付けた画像５５ａ、５５ｂに対応する画像データを基に、１枚の出力用紙でレイアウトを編集できるか否かを判断する（Ｓ１５）。この場合、５個の横並びの複写画像が１枚の出力用紙でレイアウトを編集することが可能であるか否かが判断される。可能であると判断されれば（Ｓ１５において、ＹＥＳ）、レイアウト編集画像を生成する（Ｓ１６）。レイアウト編集画像が生成されれば、表示制御部４５は、レイアウト編集画像を表示画面２１に表示するよう制御する。この場合、レイアウト編集部４４は、原稿５１の両面の画像を並べて用紙の一方の面にレイアウトする。また、レイアウト編集画像の表示に伴い、このレイアウト編集画像で出力、すなわち、印刷してもよいか否かを問い合わせる確認画面を表示する（Ｓ１７）。
【００２５】
図９は、表示画面２１に表示された確認画面の一例を示す図である。図９を参照して、表示画面２１には、「このレイアウトで出力しますか」との問い合わせ５６と、１枚の出力用紙でレイアウトされたレイアウト編集画像５７と、「はい」と示されており、押下の検知によりレイアウト編集画像５７を印刷用に確定させる選択キー５８ａと、「変更」と示されており、押下の検知によりレイアウト編集画像５７の変更画面へと移行させる選択キー５８ｂとが表示されている。なお、レイアウト編集画像５７においては、原稿５１の表面５２ａに相当する画像５５ａと裏面５２ｂに相当する画像５５ｂとが横並び、具体的には、原稿５１の表面５２ａに相当する画像５５ａが左側、裏面５２ｂに相当する画像５５ｂが右側に隣接して配置されている。また、原稿５１の表面５２ａに相当する画像５５ａと裏面５２ｂに相当する画像５５ｂとの境界には、選択キー６５ａの押下の検知に基づいて、折り目５９が示されている。折り目５９については、破線で示されている。
【００２６】
選択キー５８ａの押下を検知すると、レイアウト編集画像５７を印刷画像として確定させると共に、判断部４６により、レイアウト編集画像の出力の要求を受け付けたと判断される（Ｓ１８において、ＹＥＳ）。そうすると、印刷制御部４７は、レイアウト編集画像５７を基に印刷部１５により用紙にレイアウト編集画像５７を印刷する（Ｓ１９）。すなわち、給紙カセット１６から印刷部１５に搬送されてきた用紙に対し、レイアウト編集画像５７を基にトナー像を形成して用紙に印刷する。
【００２７】
その後、図７に示す設定画面によりミシン目の形成の要求を受け付けているため（Ｓ２０において、ＹＥＳ）、ミシン目形成部２５によりミシン目を形成する（Ｓ２１）。すなわち、画像の境界に用紙を切り取りやすくなるようミシン目を形成する。そして、複写機１１外に用紙を排出して処理を終了する。
【００２８】
図１０は、出力される用紙の一例を示す図である。図１０を参照して、出力される用紙７１には、５つの原稿５１の複写された画像７２ａ、７２ｂ、７２ｃ、７２ｄ、７２ｅが印刷されている。画像７２ａ〜７２ｅはそれぞれ、原稿５１の表面５２ａに相当する画像５５ａと裏面５２ｂに相当する画像５５ｂとが、選択キー６３ａの押下の検知に基づいて横並びにレイアウトされた画像から構成されている。そして、画像５５ａと画像５５ｂとの境界には、図１０中の破線で示す折り目７３が示されている。すなわち、レイアウト編集部４４は、編集されたレイアウトのうち、隣接する画像の間に境界を示す線図を追加して編集する。なお、各画像７２ａ〜７２ｅの境界には、図１０中の一点鎖線で示すミシン目７４が形成されている。
【００２９】
このような複合機１１によれば、ユーザーの要望に応じた画像を効率的に得ることができる。すなわち、ユーザーの要求に沿った複写個数、およびレイアウトに編集された複写物を印刷物として出力することができ、ユーザーの手間を省くことができる。
【００３０】
この場合、画像の境界にはミシン目が形成されているため、複写画像同士を切り離す際に、このミシン目を利用して容易に用紙を境界に沿って切断することができる。したがって、よりユーザーの要望に沿った出力を行うことができる。
【００３１】
また、この場合、原稿の表面の画像５５ａと裏面の画像５５ｂとの間には、折り目７３が示されているため、この折り目７３を利用して折ることにより、より原稿の画像に近い出力物を得ることができる。なお、折り目７３を境界として折り曲げ、用紙の裏面同士を貼り合わせることにより、原稿５１に近いものを得ることができる。
【００３２】
なお、Ｓ１５において、１枚の用紙でレイアウトの編集ができないと判断した場合には（Ｓ１５において、ＮＯ）、その旨を報知して、レイアウト変更を問い合わせすることとしてもよい（Ｓ２２）。この場合、表示画面２１にその旨を表示して報知することとしてもよい。具体的には、用紙を横並びに配置するよりも縦並びに配置した方が１枚の用紙で所望のレイアウト編集画像ができる場合や、余白の領域を広げることにより１枚の用紙で所望のレイアウト編集画像ができる場合には、その旨を表示画面２１に表示する。こうすることにより、よりユーザーのニーズに沿った印刷を行うことができる。
【００３３】
また、Ｓ１８において、たとえば、確認画面で確認した際に想像以上に余白部分が多く、もっと複写個数を増やしたい場合、ユーザーは、選択キー５８ｂを押下する。選択キー５８ｂの押下を検知すると（Ｓ１８において、ＮＯ）、変更を受け付ける（Ｓ２３）。具体的には、変更を受け付ける画面へ移行して、ユーザーに変更内容を入力させる。そうすると、入力された変更内容に応じて再びレイアウトを編集し、再びレイアウト編集画像を生成し（Ｓ１６）、Ｓ１７において確認画面を表示する。このようにして、よりユーザーのフレキシブルなニーズに沿った印刷を行うことができる。
【００３４】
なお、上記の実施の形態において、レイアウト編集部４４は、原稿の表面の画像データは、用紙の一方の面にレイアウトし、原稿の裏面の画像データは、用紙の他方の面であって用紙の一方の面にレイアウトされた原稿の表面の画像に対応させた位置でレイアウトするよう構成してもよい。これは、たとえば、図７における選択キー６３ｃの押下を検知することにより設定できる構成としてもよい。
【００３５】
図１１は、この場合の出力される用紙の一例を示す図である。図１１を参照して、用紙７６の表面７７ａの右半分側には、原稿５１の表面５２ａの画像５５ａに対応する５つの画像７８ａ、７８ｂ、７８ｃ、７８ｄ、７８ｅが印刷されている。一方、用紙７６の裏面７７ｂの左半分側には、原稿５１の裏面５２ｂの画像５５ｂに対応する５つの画像７９ａ、７９ｂ、７９ｃ、７９ｄ、７９ｅが印刷されている。画像７８ａの裏側に、画像７９ａを対応させた位置でレイアウトされている。他の画像７８ｂ等についても同様である。このように構成することにより、より原稿５１に近い印刷物が効率的に複数得ることができる。すなわち、ミシン目に沿って切り取れば、原稿５１と同様の表面に画像７８ａ、裏面に画像７９ａが印刷された印刷物を得ることができる。
【００３６】
なお、予め画像が形成された用紙をセット可能であり、レイアウト編集部４４は、予めセットされた用紙の指定された領域に、選択受け付け部４３により選択を受け付けた画像データをレイアウトするよう編集するようにしてもよい。
【００３７】
図１２は、予め画像が形成された用紙の一例を示す図である。図１２を参照して、用紙８１には、複数の文章から構成される文字画像８２が印刷されている。すなわち、用紙８１には、予め文字画像８２が形成されている。そして、用紙８１の右上の領域８３ａには、余白が設けられている。また、用紙８１の下側の領域８３ｂにも、余白が設けられている。この余白の領域８３ａ、８３ｂにおいて、画像を形成するようにしてもよい。この場合、画像毎に縦並びや横並びが混在することとなってもよい。
【００３８】
図１３は、余白の領域８３ａ、８３ｂに両面の画像５５ａ、５５ｂが印刷された用紙８１の一例を示す図である。図１３を参照して、余白の領域８３ａには、表面の画像５５ａと裏面の画像５５ｂとから構成される複写された画像８４ａが、縦並びで配置されて印刷されている。また、余白の領域８３ｂには、表面の画像５５ａと裏面の画像５５ｂとから構成される複写された画像８４ｂが、横並びで配置されて印刷されている。この縦並びや横並びの配置については、用紙８１の画像をまず画像読み取り部１４によって読み取って一時的に記憶し、表示画面２１に表示させ、ユーザーに画像５５ａ、５５ｂの割り当てを入力させて画像８４ａ、８４ｂを形成して配置することで、ユーザーの望む配置とすることができる。
【００３９】
なお、上記の実施の形態においては、原稿の両面の画像を読み取る場合について説明したが、これに限らず、原稿の片面の画像を読み取る場合にも適用される。
【００４０】
また、上記の実施の形態において、自動車の運転免許証を原稿としてコピーを取る場合について説明したが、もちろんこのような原稿に限られず、たとえば、保険証や他の証書類等に適用してもよい。
【００４１】
なお、上記の実施の形態において、レイアウト編集部４４は、読み取られた原稿の画像毎にレイアウトを編集可能である構成としてもよい。こうすることにより、原稿の画像毎に、ユーザーの要求に応じた編集を行うことが可能である。
【００４２】
また、上記の実施の形態において、レイアウト編集部４４は、設定されたレイアウト以外でレイアウトすれば、印刷する用紙の枚数が少なくなると判断すれば、その旨を報知することにしてもよい。こうすることにより、用紙の削減を促進して、より効率的にユーザーの望む画像形成を行うことができる。
【００４３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る画像形成装置は、効率的なユーザーが望む画像形成が要求される場合に、特に有効に利用される。
【符号の説明】
【００４５】
１１  複合機、１２  制御部、１３  操作部、１４  画像読み取り部、１５  印刷部、１６  給紙カセット、１７  ハードディスク、１８  ネットワークインターフェース部、１９  主記憶メモリ、２１  表示画面、２２  ＡＤＦ、２３  載置台、２４  手差しトレイ、２５  ミシン目形成部、２６  原稿押さえ、３１  テンキー、３２  スタートキー、３３  電源キー、３４  メニューキー、３５  登録キー、３６  リセットキー、４１  設定要求受け付け部、４２  画像データ抽出部、４３  選択受け付け部、４４  レイアウト編集部、４５  表示制御部、４６  判断部、４７  印刷制御部、５１  原稿、５２ａ，７７ａ  表面、５２ｂ，７７ｂ  裏面、５３ａ，５３ｂ，８２  文字画像、５４ａ  写真画像、５４ｂ  表画像、５５ａ，５５ｂ，７２ａ，７２ｂ，７２ｃ，７２ｄ，７２ｅ，７８ａ，７８ｂ，７８ｃ，７８ｄ，７８ｅ，７９ａ，７９ｂ，７９ｃ，７９ｄ，７９ｅ，８４ａ，８４ｂ  画像、５６，６１ａ，６１ｄ，６１ｅ，６１ｆ  問い合わせ、５７  レイアウト編集画像、５８ａ，５８ｂ，６２ａ，６２ｂ，６３ａ，６３ｂ，６３ｃ，６３ｄ，６５ａ，６５ｂ，６６ａ，６６ｂ，６７ａ，６７ｂ  選択キー、５９，７３  折り目、６１ｂ，６１ｃ  文字、６４  入力領域、７１，８１  用紙、７４  ミシン目、８３ａ，８３ｂ  領域。
【図１】
2018107669.tif 000003
【図２】
2018107669.tif 000004
【図３】
2018107669.tif 000005
【図４】
2018107669.tif 000006
【図５】
2018107669.tif 000007
【図６】
2018107669.tif 000008
【図７】
2018107669.tif 000009
【図８】
2018107669.tif 000010
【図９】
2018107669.tif 000011
【図１０】
2018107669.tif 000012
【図１１】
2018107669.tif 000013
【図１２】
2018107669.tif 000014
【図１３】
2018107669.tif 000015